(57)【要約】【課題】地震の際に竪樋等の破損を防止できる竪樋と排水管との接続構造を提供することを目的とする。【解決手段】竪樋２の下端部２１と、地中に埋設された排水管３の上端部３１との間に筒状の排水管カバー４が介在されている接続構造において、前記竪樋２の下端部２１と排水管カバー４の上端部４１との間に、鎖樋６が吊設されたアダプター５が配設され、このアダプター５が竪樋２の下端部２１に取付けられ、吊設された鎖樋６の下流部が排水管カバー４に内挿されている。【選択図】　　　図２
2004116090.tif 000002
【特許請求の範囲】
【請求項１】
竪樋の下端部と、地中に埋設された排水管の上端部との間に筒状の排水管カバーが介在されている竪樋と排水管との接続構造において、
前記竪樋の下端部と排水管カバーの上端部との間に、鎖樋が吊設されたアダプターが配設され、このアダプターが竪樋の下端部に取付けられると共に、吊設された鎖樋の下流部が排水管カバーに内挿されていることを特徴とする竪樋と排水管との接続構造。
【発明の詳細な説明】
【０００１】
【発明の属する技術分野】
本発明は地震の際に竪樋の破損を防止できる竪樋と排水管との接続構造に関する。
【０００２】
【従来の技術】
従来、建物の外壁に樋支持具にて取り付けられた竪樋の下端部と、地中に埋設された排水管の立ち上がり上端部との接続は、排水管カバーが介在されており、排水管カバーの上端部が竪樋の下端部に外挿され、一方、排水管カバーの内側下端部が排水管の立ち上がり上端部に内挿されたものであった。
【０００３】
ところで、地中に埋設された排水管の立ち上がり上端部との接続構造では、地震が発生して地面や建物躯体が水平方向に向けて大きく横揺れした場合に、排水管カバーが接続部から外れたり、竪樋と排水管カバーが破損したりすることがあった。特に、地震の際に横揺れを許容して破壊を防止する免震構造の家屋の場合に、この免震家屋に取付け固定された竪樋と排水管カバーとが破損され易いということがあった。
【０００４】
そこで、地震が発生しても竪樋と排水管との接続部が破損しない接続構造としては、竪樋と排水管とを軟質材料で成形された蛇腹管で接続した構造が提案されている（　例えば、特許文献１参照。）。
【０００５】
また、図５に示すように、家屋外壁ａに合成樹脂製の竪樋ｂが取付けられ、この竪樋ｂの上端は軒樋ｃの集水器ｄに接続された呼び樋ｅの下端に接続され、竪樋ｂの下端は、図６に示すように、可撓性を有する湾曲変形自在な蛇腹管（コルゲート管）ｆを介して、地中に埋設された排水管ｇの地面から露出する上端面に接続され、この蛇腹管ｆの周囲を覆う排水管カバーｈが竪樋ｂの下端に取付けられているものが知られている（例えば、特許文献２参照。）。
【０００６】
【特許文献１】
特開２００２─１８８２５５号公報（第３〜４頁、第１〜２図）
【特許文献２】
特開２００２─１６７９２３号公報（第３〜５頁、第１〜３図及び第１５〜
１８図）
【０００７】
【発明が解決しようとする課題】
しかしながら、このような従来の竪樋と排水管との接続構造においては、竪樋樋と排水管との相対的な横揺れの振幅が小さな地震にたいしては有効であるが、横揺れが大きい地震の際に、蛇腹管は引き伸ばされて破損することがある。
特に、排水管カバーｈで覆われた可撓性を有する湾曲変形自在な蛇腹管ｆの場合においても、排水管カバーｈが排水管ｇの上端に衝突して竪樋ｂが破損することもあった。
また、排水管カバーｈから蛇腹管ｆが露出した状態で接続された場合は、蛇腹管ｆの外周面に形成さている凹凸部分にゴミが溜まり外観上見苦しいという問題もあった。
【０００８】
本発明は上記従来の問題を解消しようとするものであり、その目的とするところは、地震の際に竪樋等の破損を防止できる竪樋と排水管との接続構造を提供することである。
【０００９】
【課題を解決するための手段】
請求項１記載の本発明の要旨は、竪樋の下端部と、地中に埋設された排水管の上端部との間に筒状の排水管カバーが介在されている竪樋と排水管との接続構造において、前記竪樋の下端部と排水管カバーの上端部との間に、鎖樋が吊設されたアダプターが配設され、このアダプターが竪樋の下端部に取付けられると共に、吊設された鎖樋の下流部が排水管カバーに内挿されていることを特徴とする竪樋と排水管との接続構造にある。
【００１０】
本発明における鎖樋が吊設されたアダプターとしては、短筒状体からなり、竪樋の下端に外嵌するように上端に受け口が設けられものであればよく、筒状体内に短尺状の鎖樋の上端側が取付けられるとともに、鎖樋の下端が下流側に向けて吊り下げられた状態で露出していればよい。また、鎖樋はリング状の部材等を複数個連結したもので連結、取り外しが自在であれば鎖樋の長さ調整が簡単で好ましい。
【００１１】
そして、上記アダプターにおいては、竪樋に接続された場合は、アダプターの下端部が排水管カバーの上端部との間に間隔を開けて接続されていればよい。この間隔は１０〜１００ｍｍの範囲であれば、鎖樋が露出して見えなくまた横揺れの大きい地震の場合に鎖樋が排水管カバーから簡単に抜けることができるので好ましい。
【００１２】
本発明の竪樋と排水管との接続構造においては、竪樋の下端部と排水管カバーの上端部との間に、鎖樋が吊設されたアダプターが配設され、このアダプターが竪樋の下端部に取付けられ、吊設された鎖樋の下流部が排水管カバーに内挿されているので、横揺れが大きい地震が発生しても、鎖樋が排水管カバーからずるずると引き出されるだけであって、排水管カバーが移動して排水管の上端に衝突することがない。
【００１３】
この結果、竪樋と排水管との水平方向の相対的な移動があっても、竪樋や排水管カバーが破損したりすることがない。しかも、竪樋の下端部と排水管の上端部との接続作業を容易に行え、取付施工後の意匠的外観を損なうことがない。
【００１４】
【実施例】
以下、本発明の一実施例を図面に基づいて説明する。
図１は本発明の実施例を示す概略説明図、図２は図１のＡ部を拡大して示す拡大断面図、図３は図２の鎖樋の使用状態を示す拡大断面図、図４は図２の分解拡大断面図である。
【００１５】
免震構造建物としての家屋の屋根部の軒樋１から断面円形の竪樋２が接続されて外壁Ｗに沿って垂下され、この竪樋２が地中に埋設された断面円形の排水管３に接続される。排水管３は地中に埋設された排水マス（図示せず）を経て下水管（図示せず）に連通されている。
【００１６】
具体的には、図２に示すように、竪樋２の下端部２１と、地中に埋設された排水管３の立ち上がり上端部３１との間に排水管カバー４が介在されて、竪樋２の下端部２１と排水管３の上端部３１とが連なっている。なお、図２においては、竪樋２の軸心と排水管３の軸心は同心とされている。
【００１７】
排水管カバー４は円筒部４１と、この円筒部４１の下部外周と円錐状テーパー面を介して同心状に連結された断面円形の化粧カバー部４２とから形成されている。円筒部４１の上端部４３は竪樋２の下端部２１が内挿される大きさの開口とされ、円筒部４１の下端側には排水管３の上端部３１に内挿される差し口４４が形成されている。また、化粧カバー部４２の下端面は差し口４５の下端面と同じ高さにされている。
【００１８】
５は鎖樋６が吊設された円筒体５１からなるアダプターであり、竪樋２の下端部２１に外嵌されるように上端に受け口５２が設けられている。円筒体５１内に短尺状の鎖樋６の上端が取付けられている。鎖樋６の下端は下流側に向けて吊り下げられた状態で露出しており、下側部分が排水管カバー４の円筒部４１内に挿入されるようになっている。
【００１９】
アダプター５の円筒体５１は、上記排水管カバー４の円筒部４１の外径と略同じ大きさにされ、上端の受け口５２の内径は竪樋２の下端部２１の外径と略同じ大きさとされている。
【００２０】
そして、アダプター５は竪樋２の下端部２１に接着剤を介してアダプター５の受け口５２が外挿されて接続されるとともに、排水管３の上端部３１に排水管カバー４の差し口４４が挿入されて載置され、排水管カバー４の円筒部４１内に鎖樋６の下端が吊下げられるようして遊挿することにより、竪樋２と排水管３とが排水管カバー４およびアダプター５を介して連繋されている。
【００２１】
また、上記アダプター５においては、円筒体５１の下端部５３が排水管カバー４の円筒部４１の上端部４３と間隔ｔを開けて接続されている。このように、竪樋２に接続されたアダプター５と排水管カバー４との間に間隔ｔを設けることにより、横揺れが大きい地震が発生して排水管３の軸心が竪樋２の軸心に対して外壁Ｗの前側に大幅にずれる場合でも、図３に示すように、鎖樋６が排水管カバー４の円筒部４１からずるずると抜けるだけで、排水管カバー４が倒されたり、竪樋２が破損したりすることがない。
【００２２】
以上、本発明の実施例を図面により詳述してきたが、具体的な構成は上記の実施例に限定されず、本発明の要旨を逸脱しない範囲の設計変更などがあっても本発明に含まれる。
例えば、上記実施例では、排水管カバーとして断面形状が円形のものを図示したが、円形の他、角形、三角形、三味胴形、その他の形状のいずれの形状でもよく、竪樋の形状に応じて決めればよい。
また、上記実施例では、家屋として免震構造建物に適用したが、非免震構造建物の外壁に取り付けられた竪樋に適用してもよい。
【００２３】
【発明の効果】
本発明の竪樋と排水管との接続構造においては、竪樋の下端部と、地中に埋設された排水管の上端部との間に筒状の排水管カバーが介在されている竪樋と排水管との接続構造において、前記竪樋の下端部と排水管カバーの上端部との間に、鎖樋が吊設されたアダプターが配設され、このアダプターが竪樋の下端部に取付けられ、吊設された鎖樋の下流部が排水管カバーに内挿されているので、横揺れの地震が発生して、排水管の軸心と竪樋の軸心とが大幅にずれても、排水管カバーが外れたり、竪樋が破損したりすることがない。しかも、竪樋の下端部と排水管の上端部との接続作業を容易に行えて、排水管カバーを取り付け施工した後の意匠的外観を損なうことがない。
【図面の簡単な説明】
【図１】本発明の第１実施例を示す概略説明図である。
【図２】図１の要部を拡大して示す拡大断面図である。
【図３】図２のアダプターの使用状態を示す説明図である。
【図４】図２の接続構造を分解して示す断面図である。
【図５】従来例を示す全体図である。
【図６】従来例の使用状態を説明する図で、同図（ａ）　は接続構造の要部断面図、同図（ｂ）　は地震で揺れたときの状態を示す接続構造の要部断面図である。
【符号の説明】
２　　　　　竪樋
２１　　　　下端部
３　　　　　排水管
３１　　　　上端部
４　　　　　排水管カバー
４１　　　　円筒部
５　　　　　アダプター
５２　　　　受け口
６　　　　　鎖樋
【図１】
2004116090.tif 000003
【図２】
2004116090.tif 000004
【図３】
2004116090.tif 000005
【図４】
2004116090.tif 000006
【図５】
2004116090.tif 000007
【図６】
2004116090.tif 000008